(57)【要約】【課題】横電界型の液晶表示装置のブラック輝度の特性を改善するために、電圧印加時、液晶方向子が、全ての方向で、同じ円形の電極構造の液晶表示装置を提供する。【解決手段】互いに隣接するドメインまたは、ピクセル間の液晶分子の位相の差を補償するため、分割り配向することによって、電圧無印加時、配向方向により配列される液晶分子の位相の差が補償できるので、ブラック状態で、カラーの特性が向上された製品を提供することができる。【選択図】   図５
2005173538.tif 000002
【特許請求の範囲】
【請求項１】
相互に向かい合って、離隔するように配置された第１基板及び第２基板と；
第１基板上に位置したゲート配線と；
前記ゲート配線と交差して、複数のドメインを含む画素領域を定義するデータ配線と；
前記ゲート配線及びデータ配線に連結された薄膜トランジスタと；
前記ゲート配線と離隔され、ゲート配線と平行である共通配線と；
前記共通配線から延長されたリング状の共通電極と；
前記薄膜トランジスタＴに連結されて、リング状であり、前記共通電極と、交互に位置する画素電極と；
前記第１基板及び第２基板の間に設けられた液晶層を含む横電界型の液晶表示装置において、前記画素領域は、液晶層の液晶分子の配列構造が異なる複数のドメイン領域で構成されていることを特徴とする横電界型の液晶表示装置。
【請求項２】
前記薄膜トランジスタに、実質的に、連結される第１引出配線、前記共通電極と重なる第２引出配線、前記第１引出配線及び第２引出配線を、相互に連結する連結配線をさらに含むことを特徴とする請求項１に記載の横電界型の液晶表示装置。
【請求項３】
前記第１引出配線及び第２引出配線、前記連結配線、前記画素電極は、同じ物質で、一体型に形成されていることを特徴とする請求項２に記載の横電界型の液晶表示装置。
【請求項４】
前記画素領域は、前記共通配線及び連結配線により第１ドメイン、第２ドメイン、第３ドメイン、第４ドメインとに分離されていることを特徴とする請求項２に記載の横電界型の液晶表示装置。
【請求項５】
前記ドメインのうち、互いに隣接するドメインは、相互に直交する第１方向及び第２方向へと配向処理されていることを特徴とする請求項４に記載の横電界型の液晶表示装置。
【請求項６】
前記第１配向方向は、前記ゲート配線に対して、０°及び４５°のうち、どちらかの一方向であって、前記第２配向方向は、９０°及び１３５°のうち、どちらかの一方向であることを特徴とする請求項５に記載の横電界型の液晶表示装置。
【請求項７】
前記第１基板の外側に、第１偏光板を含み、前記第２基板の外側に、第２偏光板をさらに含んで、前記第１偏光板の偏光軸は、９０°−２７０°であって、前記第２偏光板の偏光軸は、０°−１８０°に、相互に直交することを特徴とする請求項６に記載の横電界型の液晶表示装置。
【請求項８】
前記液晶の配向は、ラビング、光配向、プラズマ、イオンビーム、電子ビーム工程のうちの何れか１つの配向工程により行われることを特徴とする請求項１に記載の横電界型の液晶表示装置。
【請求項９】
相互に向かい合って、離隔するように配置された第１基板及び第２基板と；
第１基板上に位置した複数のゲート配線と；
前記複数のゲート配線等と交差して、複数のサブピクセル領域を定義する複数のデータ配線と；
前記ゲート配線及びデータ配線に連結された薄膜トランジスタと；
前記ゲート配線と離隔され、ゲート配線と平行である共通配線と；
前記共通配線から延長されたリング状の共通電極と；
前記薄膜トランジスタＴに連結されて、リング状であり、前記共通電極と交互に位置する画素電極と；
前記第１基板及び第２基板の間に設けられた液晶層を含む横電界型の液晶表示装置において、前記サブピクセル領域は、液晶層の液晶分子の配列構造が異なる複数のドメイン領域で構成されていることを特徴とする横電界型の液晶表示装置。
【請求項１０】
前記サブピクセル領域は、正四角形構造であることを特徴とする請求項９に記載の横電界型の液晶表示装置。
【請求項１１】
前記互いに隣接する４つのサブピクセル領域は、赤色、緑色、青色、白色の４色のピクセル構造であって、４色のピクセル構造は、１つの画素領域を構成することを特徴とする請求項１０に記載の横電界型の液晶表示装置。
【請求項１２】
前記サブピクセル領域のうち、互いに隣接する２つのサブピクセル領域に位置した液晶層は、相互に直交する第１方向及び第２方向へと配向処理されていることを特徴とする請求項１１に記載の横電界型の液晶表示装置。
【請求項１３】
前記第１配向方向は、前記ゲート配線に対して、０°及び４５°のうち、どちらかの一方向であって、前記第２配向方向は、９０°及び１３５°のうち、どちらかの一方向であることを特徴とする請求項１２に記載の横電界型の液晶表示装置。
【請求項１４】
前記第１基板の外側に、第１偏光板を含み、前記第２基板の外側に、第２偏光板をさらに含んで、前記第１偏光板の偏光軸は、９０°−２７０°であって、前記第２偏光板の偏光軸は、０°−１８０°に、相互に直交することを特徴とする請求項１３に記載の横電界型の液晶表示装置。
【請求項１５】
前記液晶の配向は、ラビング、光配向、プラズマ、イオンビーム、電子ビーム工程のうちの何れか１つの配向工程により行われることを特徴とする請求項９に記載の横電界型の液晶表示装置。
【請求項１６】
第１基板及び第２基板を備える段階と；
第１基板上に、ゲート配線を形成する段階と；
前記ゲート配線と交差して、複数のドメインを含む画素領域を定義するデータ配線を形成する段階と；
前記ゲート配線及びデータ配線に連結された薄膜トランジスタを形成する段階と；
前記ゲート配線と離隔され、ゲート配線と平行である共通配線を形成する段階と；
前記共通配線から延長されたリング状の共通電極を形成する段階と；
前記薄膜トランジスタＴに連結されて、リング状であり、前記共通電極と、交互に位置する画素電極を形成する段階と；
前記第１基板を、前記第２基板と向かい合って、離隔されるように合着する段階と；
前記第１基板及び第２基板の間に設けられた液晶層を形成する段階と；
液晶層の液晶分子の配列構造が異なるように、互いに隣接する複数のドメイン領域の液晶層を配向する段階を含む横電界型の液晶表示装置の製造方法。
【請求項１７】
第１基板及び第２基板を備える段階と；
第１基板上に位置した複数のゲート配線等を形成する段階と；
前記複数のゲート配線等と交差して、複数のサブピクセル領域を定義する複数のデータ配線等を形成する段階と；
前記ゲート配線及びデータ配線に連結された薄膜トランジスタを形成する段階と；
前記ゲート配線と離隔され、ゲート配線と平行である共通配線を形成する段階と；
前記共通配線から延長されたリング状の共通電極を形成する段階と；
前記薄膜トランジスタＴに連結されて、リング状であり、前記共通電極と、交互に位置する画素電極を形成する段階と；
前記第１基板を、前記第２基板と向かい合って、離隔されるように合着する段階と；
前記第１基板及び第２基板の間に設けられた液晶層を形成する段階と；
前記互いに隣接するサブピクセル領域の液晶分子の配列構造が異なるように、液晶層を配向する段階を含む横電界型の液晶表示装置の製造方法。
【発明の詳細な説明】
【技術分野】
【０００１】
本発明は、液晶表示装置に係り、特に、ブラック輝度の特性を向上させた横電界型の液晶表示装置に関する。
【背景技術】
【０００２】
液晶表示装置は、消費電力が低く、携帯性に優れ、技術集約的で、付加価値の高い次世代の先端表示素子として脚光を浴びている。
前記液晶表示装置は、透明電極が形成された２つの基板間に液晶を注入し、上部基板及び下部基板の外部に、上部偏光板及び下部偏光板を位置させて形成し、液晶分子の異方性による光の偏光特性を変化させ、映像効果を得る非発光素子である。
【０００３】
現在、各画素を開閉するスイッチング素子である薄膜トランジスタが、画素ごと配置される能動行列方式の液晶表示装置が、解像度及び動映像の具現能力が優れて、平板ＴＶシステムまたは、携帯コンピュータ用高情報量モニターのような応用分野に幅広く利用されている。
【０００４】
一般的な液晶表示装置は、共通電極と画素電極間の上−下（つまり液晶素子の厚さ方向）に形成された垂直の電界により液晶を駆動させる方式であって、透過率と開口率の面では優れているが、視野角の特性に限界があるので、これを改善するため、水平の電界により液晶を駆動させ、広視野角の特性がある横電界型の液晶表示装置が提案されている。
【０００５】
図１は、一般的な横電界型の液晶表示装置の断面を示した断面図である。
図示したように、第１基板１０、第２基板２０が、相互に向かい合って離隔して配置されており、第１基板１０と第２基板２０の間には液晶層３０が介在している構造で、前記第１基板１０上には、共通電極１２及び画素電極１４が、相互に離隔するように形成されている。
【０００６】
電圧の印加時、前記共通電極１２及び画素電極１４間には、横電界ＩＦが形成されて、このような横電界ＩＦにより液晶層３０の液晶分子３２が基板と平行に配列されるので、視野角が広くなる特性がある。
例えば、前記横電界型の液晶表示装置を正面から見た場合、上/下/左/右に約８０°-８５°の視野角を有する。
【０００７】
図２、図３は、一般的な横電界型の液晶表示装置の平面図であって、図２はストライプパターン構造、図３はジグザグパターン構造の横電界電極(共通電極、画素電極)に係り、電極構造を中心に簡単に説明する。
図２及び図３に示したように、第１方向へとゲート配線ＧＬが形成されており、第１方向と交差する第２方向へとデータ配線ＤＬが形成されていて、前記第１方向へとゲート配線ＧＬと離隔されるように共通配線ＣＬが形成されており、ゲート配線ＧＬとデータ配線ＤＬの交差地点に、薄膜トランジスタＴが形成された構造を、共通的に含んでいる。
【０００８】
図２は、前記共通配線ＣＬから第２方向へと、複数の共通電極４０等が分岐されており、前記共通電極４０と交互に位置して、薄膜トランジスタＴに連結された複数の画素電極４２等が、第２方向へと形成されている。
【０００９】
このように、横電界型の液晶表示装置は、共通電極４０と画素電極４２間に形成される横電界により液晶分子を駆動させる構造なので、既存の垂直電界型の一般的な液晶表示装置より視野角が広いという特徴を得る。
【００１０】
ところで、最近、ドメインを、多数に分割するマルチドメイン構造の提案を通じて、視野角の特性がより向上する構造が提案されており、代表的なマルチドメイン構造としては、下記の図３のようなジグザグパターン構造がある。
【００１１】
図３で、前記共通電極５０と画素電極５２は、図２の構造と同様に交互に配置された構造であるが、前記共通電極５０と画素電極５２の形は、ジグザグパターン構造で構成されている。
【００１２】
前記共通電極５０の間の区間に位置する液晶分子等は、共通電極５０及び画素電極５２の曲がり部を基準に、相互に異なるように配置され、マルチドメイン構造を構成して、既存の一字型の電極構造に比べて、視野角が改善される。
ところが、既存のジグザグ構造を利用したマルチドメイン横電界型の液晶表示装置によると、視野角度により液晶方向子が異なるので、色の反転が発生し、これによって、視野角の改善が限られていた。
【００１３】
図４Ａ，図４Ｂは、ジグザグパターン構造の横電界型の液晶表示装置のノーマリーブラックモードでの駆動特性を示す図である。図４Ａは、電圧無印加時、図４Ｂは、電圧印加時の液晶の駆動の特性に関する。
これらの図ではいずれも、配向方向は、２７０°から９０°方向であって、図４Ａの場合、電圧無印加状態であるので、液晶分子６０の長軸Ａ１が 配向方向と対応するように配列されている。
【００１４】
この場合、液晶分子６０の短軸Ａ２方向である０°、１８０°方向で、青色が見られた。
このような現象は、液晶分子６０の長軸Ａ１と短軸Ａ２の位相差に基づき、ブラック輝度の特性を落とす要因として作用する。
【００１５】
一方、図４Ｂでのように、電圧印加状態では、ドメインＤ１、Ｄ２別の 液晶分子６０が、相互に対称位置であることによって、視野角が補償される。
【発明の開示】
【発明が解決しようとする課題】
【００１６】
このような問題を解決するために、本発明では、ブラック輝度が向上する横電界型の液晶表示装置を提供することを目的とする。
このために、本発明では、横電界を形成する電極が円形構造であり、円形電極をサブピクセル単位または、ピクセル単位で分割配向して、電圧無印加時のブラック輝度を改善する。
分割り配向方法は、ラビング、光配向、プラズマ、イオンビーム、電子ビーム工程のうちの１つから選択される。
【課題を解決するための手段】
【００１７】
前述した目的を達成するために、本発明の第１の特徴では、相互に向かい合って、離隔するように配置された第１基板及び第２基板と；第１基板上に位置したゲート配線と；前記ゲート配線と交差して、複数のドメインを含む画素領域を定義するデータ配線と；前記ゲート配線及びデータ配線に連結された薄膜トランジスタと；前記ゲート配線と離隔され、ゲート配線と平行である共通配線と；前記共通配線から延長されたリング状の共通電極と；前記薄膜トランジスタＴに連結されて、リング状であり、前記共通電極と、交互に位置する画素電極と；前記第１基板及び第２基板の間に設けられた液晶層を含む横電界型の液晶表示装置を提供して、前記画素領域は、液晶層の液晶分子の配列構造が、複数のドメイン領域で構成されていることを特徴とする横電界型の液晶表示装置を提供する。
【００１８】
前記第１の特徴において、前記横電界型の液晶表示装置は、前記薄膜トランジスタに、実質的に、連結される第１引出配線、前記共通電極と重なる第２引出配線、前記第１引出配線及び第２引出配線を、相互に連結する連結配線をさらに含む。
【００１９】
前記第１引出配線及び第２引出配線、前記連結配線、前記画素電極は、同じ物質で、一体型に形成されている。
【００２０】
前記画素領域は、前記共通配線及び連結配線により第１ドメイン、第２ドメイン、第３ドメイン、第４ドメインとに分離される。
前記ドメインのうち、互いに隣接するドメインは、相互に直交する第１方向及び第２方向へと配向処理されている。
【００２１】
前記第１配向方向は、前記ゲート配線に対して、０°及び４５°のうち、どちらかの一方向であって、前記第２配向方向は、９０°及び１３５°のうち、どちらかの一方向である。
前記第１基板の外側に、第１偏光板を含み、前記第２基板の外側に、第２偏光板をさらに含んで、前記第１偏光板の偏光軸は、９０°−２７０°であって、前記第２偏光板の偏光軸は、０°−１８０°に、相互に直交する。
【００２２】
前記液晶の配向は、ラビング、光配向、プラズマ、イオンビーム、電子ビーム工程のうちの何れか１つの配向工程により行われる。
【００２３】
本発明の第２の特徴は、相互に向かい合って、離隔するように配置された第１基板及び第２基板と；第１基板上に位置した複数のゲート配線等と；前記複数のゲート配線等と交差して、複数のサブピクセル領域を定義する複数のデータ配線等と；前記ゲート配線及びデータ配線に連結された薄膜トランジスタと；前記ゲート配線と離隔され、ゲート配線と平行である共通配線と；前記共通配線から延長されたリング状の共通電極と；前記薄膜トランジスタＴに連結されて、リング状であり、前記共通電極と、交互に位置する画素電極と；前記第１基板及び第２基板の間に設けられた液晶層を含む横電界型の液晶表示装置を提供して、前記サブピクセル領域は、液晶層の液晶分子の配列構造が、複数のドメイン領域で構成されることを特徴とする横電界型の液晶表示装置を提供する。
【００２４】
前記第２の特徴において、前記サブピクセル領域は、正四角形である。
【００２５】
前記互いに隣接する４つのサブピクセル領域は、赤色、緑色、青色、白色の４色のピクセル構造であって、４色のピクセル構造は、１つの画素領域を構成する。また、前記サブピクセル領域のうち、隣接する２つのサブピクセル領域に位置する液晶層は、相互に直交する第１方向及び第２方向へと配向処理されている。
【００２６】
前記第１配向方向は、前記ゲート配線に対して、０°及び４５°のうち、どちらかの一方向であって、前記第２配向方向は、９０°及び１３５°のうち、どちらかの一方向である。
【００２７】
前記第１基板の外側に、第１偏光板を含み、前記第２基板の外側に、第２偏光板をさらに含んで、前記第１偏光板の偏光軸は、９０°−２７０°であって、前記第２偏光板の偏光軸は、０°−１８０°に、相互に直交する。
【００２８】
前記液晶の配向は、ラビング、光配向、プラズマ、イオンビーム、電子ビーム工程のうちの何れか１つの配向工程により行われる。
【００２９】
本発明の第３の特徴は、第１基板及び第２基板を備える段階と；第１基板上に、ゲート配線を形成する段階と；前記ゲート配線と交差して、複数のドメインを含む画素領域を定義するデータ配線を形成する段階と；前記ゲート配線及びデータ配線に連結された薄膜トランジスタを形成する段階と；前記ゲート配線と離隔され、ゲート配線と平行である共通配線を形成する段階と；前記共通配線から延長されたリング状の共通電極を形成する段階と；前記薄膜トランジスタＴに連結されて、リング状であり、前記共通電極と、交互に位置する画素電極を形成する段階と；前記第１基板を、前記第２基板と向かい合って、離隔されるように合着する段階と；前記第１基板及び第２基板の間に設けられた液晶層を形成する段階と；液晶層の液晶分子の配列構造が異なるように、互いに隣接する複数のドメイン領域の液晶層を配向する段階を含む横電界型の液晶表示装置の製造方法を提供する。
【００３０】
本発明の第４の特徴は、第１基板及び第２基板を備える段階と；第１基板上に位置した複数のゲート配線等を形成する段階と；前記複数のゲート配線等と交差して、複数のサブピクセル領域を定義する複数のデータ配線等を形成する段階と；前記ゲート配線及びデータ配線に連結された薄膜トランジスタを形成する段階と；前記ゲート配線と離隔され、ゲート配線と平行である共通配線を形成する段階と；前記共通配線から延長されたリング状の共通電極を形成する段階と；前記薄膜トランジスタＴに連結されて、リング状であり、前記共通電極と、交互に位置する画素電極を形成する段階と；前記第１基板を、前記第２基板と向かい合って、離隔されるように合着する段階と；前記第１基板及び第２基板の間に設けられた液晶層を形成する段階と；前記互いに隣接するサブピクセル領域の液晶分子の配列構造が異なるように、液晶層を配向する段階を含む横電界型の液晶表示装置の製造方法を提供する。
【発明の効果】
【００３１】
本発明では、横電界型の液晶表示装置のブラック輝度の特性を改善するために、電圧印加時、液晶方向子が、全ての方向で、同じ円形の電極構造の液晶表示装置を提供するので、互いに隣接するドメインまたは、ピクセル間の液晶分子の位相の差を補償するため、分割り配向が行われて、電圧無印加時、配向方向により配列される液晶分子の位相の差が補償できるので、ブラック状態で、カラーの特性が向上された製品を提供する。
【発明を実施するための最良の形態】
【００３２】
以下、本発明による望ましい実施例を、図面を参照して詳しく説明する。
【実施例１】
【００３３】
図５は、本発明の実施例１による横電界型の液晶表示装置の図であって、１つの画素領域を基準に示した。
図示したように、第１方向へとゲート配線１１２が形成されており、第１方向と交差する第２方向へとデータ配線１２８が形成されている。前記第１方向へとゲート配線１１２と離隔するように共通配線１１４が形成されており、前記ゲート配線１１２とデータ配線１２８の交差地点に、薄膜トランジスタＴが形成されている。前記共通配線１１４では、共通電極１２０が分岐されており、前記薄膜トランジスタＴに連結されて、共通電極１２０と一定間隔離隔するように画素電極１３８が形成されている。
【００３４】
前記共通電極１２０及び画素電極１３８は、円形構造で構成されて、 前記共通電極１２０及び画素電極１３８間の離隔区間は、リング状構造であることを特徴とする。
【００３５】
前記共通電極１２０及び画素電極１３８のパターン構造を、より具体的に説明する。
前記共通電極１２０は、画素領域Ｐの最外角に位置する第１共通電極パターン１２０ａと、前記第１共通電極パターン１２０ａの内部に位置する第２共通電極パターン１２０ｂとで構成される。前記画素電極１３８は、前記第１共通電極パターン１２０ａ、第２共通電極パターン１２０ｂの間区間に位置する第１画素電極パターン１３８ａと、前記第２共通電極パターン１２０ｂの内部に位置する第２画素電極パターン１３８ｂとで構成される。
【００３６】
前記第１画素電極パターン１３８ａの両側には、第１共通電極パターン１２０ａと重なる位置に形成された第１引出配線１４０ａ、第２引出配線１４０ｂが形成されており、前記画素電極１３８と第１引出配線１４０ａ、第２引出配線１４０ｂを、一体型パターンで連結する連結配線１４１が、画素領域Ｐを横切って形成されている。
【００３７】
前記画素領域Ｐは、前記共通配線１１４と連結配線１４１により分離される４つの領域で定義されて、４つの領域は、電圧印加時、液晶分子１５０が、相互に異なる方向へと配列される第１ドメインないし第４ドメインＤ１、Ｄ２、Ｄ３、Ｄ４を構成する。
【００３８】
本実施例では、上下に互いに隣接するドメインは補償効果を与えるために、第１ドメインＤ１、第４ドメインＤ４は、９０°方向(または、１３５°方向)へと配向処理されており、右左に接する第２ドメインＤ２、第３ドメインＤ３は、０°方向(または、４５°方向)へと配向処理されていることを特徴とする。
【００３９】
すなわち、電圧無印加時には、液晶分子１５０の配列方向が、配向方向により決定されるので、相互に隣接するドメイン間の液晶分子１５０の配列構造が、相互に位相の差が補償できる配置構造になるように、配向処理をすると、電圧無印加時に現れた青色のブラック輝度の特性を改善することができる。
【００４０】
前記配向処理に利用される工程は、ラビング、光配向、プラズマ、イオンビーム、電子ビーム工程等、多様な配向処理方法から選択される。
前述した配向処理方法のうち、プラズマ、イオンビーム、電子ビーム工程は、プラズマ、イオン、電子のうちの何れか１つを利用して、配向膜の表面に物理的なショックを与える方法である。
【００４１】
図面で、ドメイン別の液晶分子に示した矢印は、電圧無印加状態で、 電圧印加状態へと液晶分子が移動される方向を示している。
そして、本実施例による液晶表示装置用偏光板は、０°-１８０°、９０°-２７０°に、相互に直交する偏光軸のある上部偏光板及び下部偏光板が利用される。
【実施例２】
【００４２】
図６は、本発明の実施例２による横電界型の液晶表示装置の平面図であって、高解像度構造に適用できる構造であって、正四角形構造の画素領域で構成される４色のピクセル構造を一例として提示している。
【００４３】
図６では、赤色、緑色、青色、白色のサブピクセルＳＰ赤色、ＳＰ 緑色、ＳＰ青色、ＳＰ白色が、１つのピクセルＰＸを構成して、各々のサブピクセルＳＰ赤色、ＳＰ緑色、ＳＰ青色、ＳＰ白色が、正四角形を構成する構造が適用された液晶表示装置である。一例として、ＵＸＶＧＡ(１６００×１２００ｍｍ)のような高解像度モデルの場合は、画素領域の大きさが小さくなるので、互いに隣接するサブピクセル間に、液晶分子の位相の差を補償する方法として、配向処理をすることができる。
【００４４】
すなわち、赤色、白色のサブピクセルＳＰ赤色、ＳＰ白色は、９０°方向(または、１３５°方向)へと配向処理されて、緑色、青色のサブピクセルＳＰ緑色、ＳＰ青色は、０°方向(または、４５°方向)へと配向処理する方法により、電圧無印加時のブラック輝度が改善できる。
【００４５】
本実施例による配向方向は、前記実施例１同様、ラビング、光配向、プラズマ、イオンビーム、電子ビーム工程から選択される。
本発明の前記実施例等に限らず、本発明の趣旨に反しない範囲内で、多様に変更して実施することもできる。
例えば、本発明による円形の電極構造は、楕円形構造を含む構造である。
【図面の簡単な説明】
【００４６】
【図１】一般的な横電界型の液晶表示装置の断面を示した断面図である。
【図２】一般的な横電界型の液晶表示装置の平面図である。
【図３】一般的な横電界型の液晶表示装置の平面図である。
【図４】ジグザグパターン構造の横電界型の液晶表示装置のノーマリーブラックモードでの駆動の特性の図である。
【図５】本発明の実施例１による横電界型の液晶表示装置の平面図である。
【図６】本発明の実施例２による横電界型の液晶表示装置の平面図である。
【符号の説明】
【００４７】
１１２    ゲート配線
１１４    共通配線
１２０ａ    第１共通電極パターン
１２０ｂ    第２共通電極パターン
１２０    共通電極
１３８ａ    第１画素電極パターン
１３８ｂ    第２画素電極パターン
１３８    画素電極
１４０ａ    第１引出配線
１４０ｂ    第２引出配線
１４１    連結配線
１５０    液晶分子
Ｄ１    第１ドメイン
Ｄ２    第２ドメイン
Ｄ３    第３ドメイン
Ｄ４    第４ドメイン
【図１】
2005173538.tif 000003
【図２】
2005173538.tif 000004
【図３】
2005173538.tif 000005
【図４】
2005173538.tif 000006
【図５】
2005173538.tif 000007
【図６】
2005173538.tif 000008